(57)【要約】【課題】谷樋の外面で結露が生じ難く、谷樋内の雪や氷堤が解けやすい雪屋根構造を提供する。【解決手段】屋根構造は、谷樋１、ドレン（樋側ドレン）８、排水管４、通気部材７及び断熱材（第１断熱材）５１を備える。ドレン８は谷樋１の底板部１０に設けられる。排水管４はドレン８に通じる。通気部材７は谷樋１の底板部１０の下方に配置される。断熱材５１は谷樋１の底板部１０の下方に通気部材７を介して配置される。通気部材７は排水管４に通じる通気空間７０を備える。【選択図】図１
2019027165.tif 000002
【特許請求の範囲】
【請求項１】
屋根の谷部に谷樋が設けられた屋根構造であって、
谷樋と、
前記谷樋の底板部に設けられたドレンと、
前記ドレンに通じる排水管と、
前記底板部の下方に配置された通気部材と、
前記底板部の下方に前記通気部材を介して配置された断熱材とを備え、
前記通気部材は、
前記排水管に通じる通気空間を備えたことを特徴とする屋根構造。
【請求項２】
上方に開口する凹部が形成された下地と、
前記凹部の底部に設けられ、前記ドレンの下方に位置して前記ドレンから流出した水が流れ込む下地側ドレンと、
ルーフィングとをさらに備え、
前記下地側ドレンに前記排水管が連結されており、
前記底部上に前記断熱材が設けられており、
前記断熱材上に前記ルーフィングを介して前記通気部材が設けられており、
前記ルーフィングが前記下地側ドレンまで延びており、
前記通気空間が前記下地側ドレンを介して前記排水管に通じていることを特徴とする請求項１に記載の屋根構造。
【請求項３】
前記ルーフィングは、
前記断熱材の上面に沿う第１部分と、
前記第１部分の側縁部から、前記凹部の側壁部に沿って上方に延びた第２部分とを備え、
前記通気部材における前記第２部分に対向する端面と、前記第２部分との間に隙間が形成されていることを特徴とする請求項２に記載の屋根構造。
【発明の詳細な説明】
【技術分野】
【０００１】
本発明は、屋根構造に関する。
【背景技術】
【０００２】
特許文献１には、略Ｖ字状の屋根面の谷底部分に横樋が設けられた無落雪屋根が開示されている。この無落雪屋根では、略Ｕ字状の横樋用下地材上に、横樋用断熱材が略Ｕ字状に敷き詰められ、この横樋用断熱材上に、金属板を折り曲げ加工して作製された横樋が配置されている。横樋の底部には排水口が開口しており、排水口には屋内縦樋の上端が接続されている。この無落雪屋根にあっては、屋根面上の積雪が横樋に流入し、この積雪の融雪水が前記排水口を介して屋内縦樋に排出される。
【先行技術文献】
【特許文献】
【０００３】
【特許文献１】特開２０１１−２２６１５３号公報
【発明の概要】
【発明が解決しようとする課題】
【０００４】
ところで、前記無落雪屋根にあっては、下水道の熱や建物の熱が屋内縦樋から横樋に導入される空気と共に横樋に伝わりやすく、また、横樋は横樋用断熱材によって保温される。このため、横樋内側の雪や氷堤は、屋内縦樋から伝わる熱によって比較的溶けやすい。
【０００５】
しかし、屋内縦樋から横樋に導入された空気は、屋内縦樋付近で横樋の底部近傍を通過するものの、屋内縦樋から離れた箇所では横樋の底部近傍を通過し難い。また、横樋の底部上に雪や氷堤が接する等した場合には、横樋の底部が横樋用断熱材によって保冷される。このため、横樋の下部の外面で結露が発生したり、横樋内の下部の雪や氷堤が解け難くなるおそれがある。
【０００６】
本発明は前記事情に鑑みてなされたものであって、谷樋の外面で結露が生じ難く、谷樋内の雪や氷堤が解けやすい屋根構造を提供することを目的とする。
【課題を解決するための手段】
【０００７】
前記目的を達成するために本発明に係る一態様の屋根構造は、屋根の谷部に谷樋が設けられた屋根構造であって、谷樋と、前記谷樋の底板部に設けられたドレンと、前記ドレンに通じる排水管と、前記底板部の下方に配置された通気部材と、前記底板部の下方に前記通気部材を介して配置された断熱材とを備え、前記通気部材は、前記排水管に通じる通気空間を備えたことを特徴とする。
【発明の効果】
【０００８】
本発明に係る屋根構造は、排水管内の空気が谷樋の下方に位置する通気部材の通気空間に導入され、これにより、下水道の熱及び建物で発生した熱が谷樋の底板部に伝わりやすい。このため、谷樋の外面で結露が発生することが抑制され、また、谷樋内の雪や氷堤が解けやすい。
【図面の簡単な説明】
【０００９】
【図１】図１は、本発明に係る一実施形態の屋根構造を谷樋の長手方向と直交する断面で示した断面図である。
【図２】図２は、同上の屋根構造を谷樋の幅方向と直交する断面で示した断面図である。
【図３】図３は、同上の屋根構造の一部切欠斜視断面図である。
【図４】図４は、同上の屋根構造に用いられる下地側ドレンの分解斜視図である。
【図５】図５Ａは、同上の屋根構造におけるルーフィングに切り込みを入れた状態を示した斜視図であり、図５Ｂは前記切り込みを入れることで形成された複数の片部を下地側ドレンの排水筒部に沿って曲げた状態を示した斜視図である。
【図６】図６は、同上の屋根構造に用いられる通気部材の斜視図である。
【発明を実施するための形態】
【００１０】
以下に示す実施形態は、無落雪住宅の屋根構造に関する。本実施形態の屋根構造は、いわゆるスノーダクト方式の屋根構造（無落雪屋根構造）であって、すなわち、バタフライ屋根の谷部に谷樋１が設けられた屋根構造である。この屋根構造にあっては、屋根上の雪解け水や雨水は、谷樋１を介して排出される。
【００１１】
図１〜図３に示すように本実施形態の無落設屋根構造は、下地２、ドレン３、排水管４、複数の断熱材５１，５２、複数のルーフィング６、複数の通気部材７、谷樋１、ドレン８及び複数の屋根材９０を備えている。以下、ドレン３を下地側ドレン３といい、ドレン８を樋側ドレン８という。
【００１２】
（下地）
図１に示すように、下地２は、複数の屋根材９０の下地となる屋根下地２０と、バタフライ屋根の谷部を構成し谷樋１の下地となる凹部２１とを備えている。
【００１３】
本実施形態の屋根下地２０は、凹部２１を挟んでＶ字状に配置された一対の野地板２２で構成されている。各野地板２２は、凹部２１に向かって下り傾斜している。
【００１４】
凹部２１は一対の野地板２２の間において上方に開口している。凹部２１は、各野地板２２の屋根勾配方向と直交する水平方向に延びた溝状に形成されている。
【００１５】
図１及び図２に示すように、本実施形態の凹部２１は、平面視で凹部２１の長手方向に延びた矩形板状の底部２４と、底部２４の各辺に立設された側壁部２５とを備えている。底部２４及び四方の側壁部２５の各々は、例えば一乃至複数枚の合板で構成され、建物の構造材に対して固定される。凹部２１の底部２４には上下方向に貫通した貫通孔２６が形成されている。
【００１６】
（下地側ドレン）
底部２４には、貫通孔２６に挿通された下地側ドレン３が設けられている。本実施形態の下地側ドレン３は、谷樋１に設けられた樋側ドレン８から排出された水を、凹部２１の底部２４の下方に排出するドレン本体３０と、凹部２１の底部２４上方からドレン本体３０まで延びたルーフィング６をドレン本体３０との間に挟み込んで押える押え部材３３とを備えている。ドレン本体３０と押え部材３３との各々は、合成樹脂製である。
【００１７】
ドレン本体３０は、貫通孔２６に挿通されて底部２４を上下方向に貫通した排水筒部３４と、排水筒部３４の上縁から外周側に向かって突出して凹部２１の底部２４上に載置されたフランジ部３５とを備えている。
【００１８】
排水筒部３４は、貫通孔２６に挿通された円筒状の挿通部３４０と、挿通部３４０よりも下方に位置した円筒状の接続部３４１と、挿通部３４０の下縁と接続部３４１の上縁とを繋いだ筒状の中間部３４２とを備えている。
【００１９】
挿通部３４０は平面視円形の内周面３４３を備えている。接続部３４１は挿通部３４０と同心で挿通部３４０よりも小径の筒状に形成されている。中間部３４２は挿通部３４０及び接続部３４１と同心で下端に近い部分ほど小径となるテーパー円筒状に形成されている。
【００２０】
フランジ部３５は挿通部３４０の上縁から外周側に向かって突出している。フランジ部３５は挿通部３４０の周方向の全長に亘って形成されている。図４に示すように本実施形態のフランジ部３５の外形は、平面視矩形状である。挿通部３４０の上端に形成された上開口部３９は、フランジ部３５の内側において上方に開口している。
【００２１】
フランジ部３５には、複数の固着具用孔３５０が形成されている。本実施形態では、平面視矩形状のフランジ部３５の四隅の各々に固着具用孔３５０が形成されている。各固着具用孔３５０は、フランジ部３５を上下方向に貫通している。
【００２２】
各固着具用孔３５０には、図３に示す固着具９１が挿通されている。各固着具９１は釘又はねじからなる。各固着具９１は、凹部２１の底部２４に固着されている。これにより、フランジ部３５は、複数の固着具９１によって凹部２１の底部２４に固定されている。
【００２３】
図１及び図２に示すようにドレン本体３０の接続部３４１には、軸方向が上下方向と平行な排水管（縦樋）４の上端部が被嵌されて接続されている。排水管４は例えば建物を上下に貫通して下端部が下水道に通じている。谷樋１に設けられた樋側ドレン８から流下した水は、下地側ドレン３の排水筒部３４に流入し、この後、排水管４を介して下水道に排出される。
【００２４】
フランジ部３５の上面は、中央の排水筒部３４側に向かって段階的に低くなっており、これによりフランジ部３５上に敷かれたルーフィング６は、排水筒部３４側に向かって下り勾配がついている。具体的に本実施形態のフランジ部３５の上面は、図４に示すように、フランジ部３５の外周部３５３の上面よりも低い第１面３５１と第２面３５２とを備えている。
【００２５】
第１面３５１は、平面視円環状でフランジ部３５の外周部３５３の上面よりも一段低い。第１面３５１の外周縁は、段差３５４を介して外周部３５３の上面に繋がっている。第２面３５２は、平面視円環状で第１面３５１よりも一段低い。第２面３５２の外周縁は、段差３５５を介して第１面３５１に繋がっている。第２面３５２の内周縁は、挿通部３４０の上開口部３９の周縁に繋がっている。フランジ部３５の外周部３５３の上面、第１面３５１及び第２面３５２の各々は、略水平な面である。
【００２６】
図３に示すようにドレン本体３０の挿通部３４０の内側には、挿通部３４０の内周面３４３との間にルーフィング６を挟み込んで固定するリング状の押え部材３３が嵌め込まれている。図４に示すように本実施形態の押え部材３３は、挿通部３４０と同心の平面視Ｃ字状に形成されており、周方向の一部が連続していない。このため、作業者は、押え部材３３を挿通部３４０の内側に嵌め込む際に、押え部材３３を外周側から掴むことで、押え部材３３を径が縮小するように簡単に弾性変形させることができる。
【００２７】
（断熱材）
図１〜図３に示すように、下地２に形成された凹部２１の内側には、複数の断熱材５１，５２が配置されている。本実施形態の屋根構造は、複数の断熱材５１，５２として、凹部２１の底部２４の上面に沿って配置された複数の第１断熱材５１と、凹部２１の幅方向両側の側壁部２５の内面（屋外側の面）に沿って配置された複数の第２断熱材５２とを備えている。
【００２８】
複数の第１断熱材５１及び複数の第２断熱材５２の各々は、例えばポリスチレンフォーム等の発泡樹脂から形成される。各第１断熱材５１は、凹部２１の底部２４の上面に沿った板状に形成されている。各第１断熱材５１は、ルーフィング６及び通気部材７を介して谷樋１の底板部１０の下側に配置されている。各第２断熱材５２は、凹部２１の側壁部２５の内面に沿った板状に形成されている。各第２断熱材５２は谷樋１の側板部１１の外側（下地２側）にルーフィング６を介して配置されている。
【００２９】
複数の第１断熱材５１は、凹部２１の底部２４において下地側ドレン３のフランジ部３５が載置された箇所を除く他の部分の略全体に亘っている。複数の第２断熱材５２は、凹部２１の幅方向両側の側壁部２５のそれぞれに設けられており、対応する側壁部２５の略全体に亘っている。
【００３０】
図１及び図２に示すように、複数の第１断熱材５１の厚みは、下地側ドレン３のフランジ部３５の外周部３５３の厚みと略同じである。このため、複数の第１断熱材５１の各々の上面と、フランジ部３５の外周部３５３の上面とは、略同レベルに位置している。
【００３１】
（ルーフィング）
図３に示すように、下地２の屋外側には、下地２の全体に亘るように複数のルーフィング（防水シート）６が張られている。複数のルーフィング６の各々は、例えばフェルト又は板紙等にアスファルト（ゴムアスファルトを含む）がしみ込んだシート状のアスファルトルーフィングである。
【００３２】
複数のルーフィング６は、一対の野地板２２の上面、複数の第１断熱材５１の上面及び複数の第２断熱材５２の屋外側の面、並びに下地側ドレン３のフランジ部３５の上面を覆っている。
【００３３】
本実施形態では、複数の第１断熱材５１、複数の第２断熱材５２及び下地側ドレン３のフランジ部３５は、一枚のルーフィング６によって覆われている。以下、このルーフィング６をルーフィング６ａという。ルーフィング６ａは、複数の第１断熱材５１の上面に沿う第１部分６１と、第１部分６１の四方の側縁部から凹部２１の四方の側壁部２５に沿って上方に延びた第２部分６２とを備えている。
【００３４】
第１部分６１は、第１断熱材５１の上方からフランジ部３５の上方を通過し、この後、下地側ドレン３の排水筒部３４の内側にまで延びている。第１部分６１は谷樋１の外面で結露した水や谷樋１から漏れ出た水を受け、この水を排水筒部３４の内側に導く。
【００３５】
図１及び図２に示すように、第１部分６１において、フランジ部３５の第１面３５１及び第２面３５２の上方に位置する部分は、第１面３５１及び第２面３５２に沿っており、下地側ドレン３の排水筒部３４に向かって下り傾斜している。このため、ルーフィング６ａ上の水は、スムーズに排水筒部３４内に導かれる。
【００３６】
フランジ部３５上の第１部分６１は、フランジ部３５の第１面３５１に両面粘着テープや接着剤等を用いて貼り付けてもよい。このようにすることで、ルーフィング６をフランジ部３５に対して固定することができる。
【００３７】
また、フランジ部３５の第１面３５１とこの上方に位置する第１部分６１との間にはシール材を設けてもよく、この場合、シール材によって第１面３５１と第１部分６１との間をシールすることができる。
【００３８】
また、凹部２１の底部２４は、貫通孔２６に近い部分ほど下方に位置するように傾斜していてもよい。この場合、ルーフィング６の第１部分６１には、下地側ドレン３の排水筒部３４に向かう下り勾配を容易につけることができる。このため、第１部分６１上の水を排水筒部３４にスムーズに導くことができる。なお、凹部２１の底部２４は、全体が水平であって構わない。
【００３９】
ルーフィング６ａにおいて排水筒部３４の内側に位置する部分は、図５Ｂに示すように挿通部３４０の周方向に並んだ複数の片部６３で構成されている。複数の片部６３の各々は、下向きに尖った三角形状に形成されている。
【００４０】
複数の片部６３は、図５Ａに示すように、ルーフィング６ａにおいて排水筒部３４の上開口部３９に対応する部分に、放射状の切り込み６４を入れることで形成される。
【００４１】
図３に示すように複数の片部６３は、挿通部３４０の内周面３４３に沿って配置されている。挿通部３４０の内側には、複数の片部６３を介して下地側ドレン３の押え部材３３が嵌め込まれている。複数の片部６３は押え部材３３と挿通部３４０の内周面３４３との間に挟まれて固定されている。
【００４２】
前述のようにルーフィング６ａに複数の片部６３を形成する場合、放射状の切り込み６４が長くなってこの切り込み６４の一部がフランジ部３５の第２面３５２の上方にまで至り、ルーフィング６ａの第１部分６１上の水が、切り込み６４から第２面３５２に流れる可能性がある。しかし、本実施形態のフランジ部３５には、第２面３５２の外周側に、第１面３５１と第２面３５２との間の段差３５５がある。このため、第２面３５２で受けられた後、フランジ部３５の外周側に向かって流れた水は、段差３５５により堰き止められる。従って、第２面３５２で受けられた水は、排水筒部３４の内側に流れやすくなり、防水性が高い。
【００４３】
（通気部材）
複数の第１断熱材５１の上には、ルーフィング６ａを介して複数の通気部材７が配置されている。複数の通気部材７は、複数の第１断熱材５１の略全体に亘っている。複数の通気部材７の各々は、通気性を有する部材であり、谷樋１の下面に沿って配置されている。
【００４４】
各通気部材７は、例えば合成樹脂製である。本実施形態の各通気部材７は、凹部２１の長手方向に延びた板状に形成されており、各通気部材７の長手方向は凹部２１の長手方向と平行である。
【００４５】
図６に示すように本実施形態の各通気部材７はハニカム構造を有しており、クッション性を有している。各通気部材７には、下地側ドレン３を介して排水管４に通じる通気空間７０が形成されている。本実施形態の各通気部材７には、通気空間７０として、複数（多数）の通気孔７１が形成されている。複数の通気孔７１の各々は、通気部材７を当該通気部材７の長手方向に貫通している。本実施形態の複数の通気孔７１は、通気部材７を長手方向に見て、通気部材７の全体に亘るように形成されている。
【００４６】
図２に示すように、各通気部材７の通気空間７０は、下地側ドレン３の排水筒部３４の内側領域を介して排水管４に通じている。本実施形態では、一対の通気部材７が、凹部２１の幅方向に見て下地側ドレン３の両側に位置するように配置されている。各通気部材７において複数の通気孔７１が露出した長手方向の一端面は、下地側ドレン３の上方領域に臨んでいる。このため、各通気部材７の複数の通気孔７１には、排水管４内から排水筒部３４を経て凹部２１内に導入された空気が流入しやすくなっている。
【００４７】
排水管４内の空気は、下水道の熱及び建物で発生した熱により排水管４内を上昇しやすい。このため、下水道の熱及び建物で発生した熱は、排水管４内から下地側ドレン３及び樋側ドレン８を介して谷樋１内に導入される空気と共に谷樋１に伝わる。この熱は図１に示すように谷樋１の外側に位置する複数の断熱材５１，５２によって保温される。このため、谷樋１内の雪や氷堤は比較的解けやすい。
【００４８】
ところで、排水管４から下地側ドレン３及び樋側ドレン８を介して谷樋１内に入り込んだ空気は、樋側ドレン８付近では谷樋１の底板部１０近傍を通過するものの、樋側ドレン８から離れた箇所では、底板部１０近傍を通過し難い。このため、例えば谷樋１内側の雪や氷堤が谷樋１の底板部１０に接する等して底板部１０が冷却されると、谷樋１の下部の外面で結露が発生したり、谷樋１内において下部に位置する雪や氷堤が解け難くなるおそれがある。しかし、本実施形態では、排水管４内の空気が下地側ドレン３を通って凹部２１内にも導入され、このように凹部２１内に導入された空気は、複数の通気部材７の各々に形成された通気空間７０を通じて、谷樋１の底板部１０全体の下方を流れる。このため、谷樋１の底板部１０には、下水道の熱及び建物で発生した熱が伝わりやすい。また、この熱は複数の断熱材５１，５２によって保温される。従って、谷樋１の下部の外面（屋内側面）で結露が発生することが抑制され、また、谷樋１内の下部に位置する雪や氷堤も解けやすくなる。
【００４９】
図１及び図２に示すように、複数の通気部材７は、ルーフィング６ａにおける凹部２１の四方の側壁部２５に沿った第２部分６２との間に隙間９２が形成されるように配置されている。このため、ルーフィング６が通気部材７によって凹部２１の底部２４と側壁部２５とでなす角部に押し付けられて破れるといった事態が生じ難い。
【００５０】
（谷樋）
図１〜図３に示すように、複数の通気部材７の上方には、谷樋１（スノーダクト）が設けられている。本実施形態の谷樋１は、金属製であり、施工現場において１乃至複数枚の金属板を、凹部２１の四方の側壁部２５に沿ったルーフィング６及び複数の通気部材７の上面に沿うように折り曲げて製作される。
【００５１】
谷樋１は、上方に開口した溝状に形成されている。谷樋１は、平面視で凹部２１の長手方向に延びた矩形板状の底板部１０と、底板部１０の各辺に立設された側板部１１とを備えている。
【００５２】
谷樋１の底部を構成する底板部１０は、複数の通気部材７の上面に沿って配置されている。谷樋１の四方の側板部１１は、ルーフィング６ａの第２部分６２の屋外側の面に沿うように配置されている。
【００５３】
（樋側ドレン）
図１及び図２に示すように谷樋１の底板部１０には、樋側ドレン８が設けられている。樋側ドレン８は谷樋１の底板部１０において下地側ドレン３に対応する箇所に設けられている。樋側ドレン８は、谷樋１の内側を流れる水を下方の下地側ドレン３に向かって排出する。
【００５４】
本実施形態の樋側ドレン８は、谷樋１の下方に配置された下部材８０と、下部材８０に取り付けられた上部材８１とを備えている。
【００５５】
下部材８０は、軸方向が上下方向と平行な円筒状の排水部８２と、排水部８２の上縁部から外周側に向かって突出した下鍔部８３とを備えている。
【００５６】
下鍔部８３は谷樋１の底板部１０の下面に沿っている。排水部８２は下鍔部８３から下方に向かって突出しており、下地側ドレン３の押え部材３３の内側に配置されている。排水部８２の内周面には、雌ねじ８４が形成されている。
【００５７】
上部材８１は、軸方向が上下方向と平行な円筒状の連結筒部８５と、連結筒部８５の上縁から外周側に向かって突出した上鍔部８６と、連結筒部８５から上方に突出したごみ除け８７とを備えている。
【００５８】
連結筒部８５は谷樋１の底板部１０に形成された上下方向に貫通する孔に挿通されている。連結筒部８５の外周面には雄ねじ８８が形成されている。雄ねじ８８は下部材８０の雌ねじ８４にねじ込まれており、これにより上部材８１は下部材８０に連結されている。
【００５９】
上鍔部８６は谷樋１の底板部１０の上面に沿って配置されている。上鍔部８６と下部材８０の下鍔部８３とで底板部１０が上下に挟まれており、これにより樋側ドレン８は谷樋１の底板部１０に固定されている。
【００６０】
樋側ドレン８の排水部８２は、下地側ドレン３の挿通部３４０及び押え部材３３と同心になるように配置されており、排水部８２は下地側ドレン３の接続部３４１よりも上方に位置している。
【００６１】
谷樋１内の水は、上部材８１の連結筒部８５内を通過して下部材８０の排水部８２内に流れ込み、この後、排水部８２から下方に排出されて下地側ドレン３の排水筒部３４内に流れ込む。また、このとき、ごみ除け８７は、谷樋１から樋側ドレン８に流れ込む水に含まれる落ち葉等のごみを捕捉する。
【００６２】
下地側ドレン３の排水筒部３４と樋側ドレン８の排水部８２との間には、接続部３４１の内側領域と、下地側ドレン３のフランジ部３５の上面に沿って配置されたルーフィング６の上方領域とを連通させる間隙９３が形成されている。本実施形態では、排水部８２の外周面と押え部材３３の内周面との間に間隙９３が形成されている。
【００６３】
複数の第１断熱材５１の上面に沿って配置されたルーフィング６上の水は、間隙９３を通って接続部３４１内に流れ込み、この後、排水管４から排出される。また、排水管４の内部は、接続部３４１の内側領域及び間隙９３を介して各通気部材７の通気空間７０に通じており、これにより、排水管４内の空気は、各通気部材７の通気空間７０に流れ込みやすくなっている。
【００６４】
（屋根材）
一対の野地板２２の上には、ルーフィング６を介して複数の屋根材９０が葺かれている。本実施形態の複数の屋根材９０の各々は、金属板で構成されている。
【００６５】
図１に示すように、本実施形態の谷樋１は、谷樋１の幅方向両側の側板部１１の各々の上端部から、谷樋１の幅方向における内側及び外側にそれぞれ突出した内鍔部１２と外鍔部１３とを備えている。
【００６６】
各屋根材９０は谷樋１の対応する内鍔部１２の上面及び外鍔部１３の上面に沿って配置されている。各屋根材９０の谷樋１側の端部は、内鍔部１２を巻き込むように曲げることで谷樋１に対して固定されている。
【００６７】
（施工）
谷樋１及び複数の屋根材９０の施工は、例えば以下のように行われる。まず、作業者は、図３に示す下地２に形成された凹部２１の底部２４に、下地側ドレン３のドレン本体３０を取り付ける。この際、作業者は、凹部２１の底部２４に形成された貫通孔２６に、上方から排水筒部３４を挿入し、下地側ドレン３のフランジ部３５を凹部２１の底部２４上に載置する。
【００６８】
次に作業者は、フランジ部３５に形成された各固着具用孔３５０に上方から固着具９１を挿入し、各固着具９１を凹部２１の底部２４に打入する。これにより、ドレン本体３０は、凹部２１の底部２４に取り付けられる。このように取り付けられたドレン本体３０の排水筒部３４には、排水管４が連結される。
【００６９】
次に作業者は、下地２に形成された凹部２１の内側に複数の断熱材５１，５２を配置し、この後、複数のルーフィング６を施工する。
【００７０】
次に作業者は、第１断熱材５１の上面に沿って配置されたルーフィング６ａにおいて排水筒部３４の上開口部３９に対応する部分に、図５Ａに示すように放射状の切り込み６４を入れて、複数の片部６３を形成する。次に作業者は、複数の片部６３を図５Ｂに示すように下方に曲げて挿通部３４０の内周面３４３に沿わせる。次に作業者は、挿通部３４０の内側に複数の片部６３を介して下地側ドレン３の押え部材３３を嵌め込んで複数の片部６３を固定する。
【００７１】
作業者がドレン本体３０の挿通部３４０の内側に押え部材３３を嵌め込むときには、まず、押え部材３３を手で掴んで当該押え部材３３の径が縮小するように弾性変形させ、この状態で押え部材３３を挿通部３４０内に挿入する。続いて作業者は、押え部材３３を掴む力を緩めて押え部材３３を弾性復帰させて、押え部材３３を複数の片部６３を介して挿通部３４０の内周面３４３に押し当てる。このように押え部材３３を挿通部３４０に嵌め込むときに押え部材３３を変形させることで、押え部材３３を用いてルーフィング６ａの複数の片部６３を固定する作業が容易になる。
【００７２】
次に作業者は、ルーフィング６上に複数の通気部材７を配置する。次に作業者は、通気部材７上に谷樋１を作製し、また、このとき谷樋１の底板部１０に樋側ドレン８を取り付ける。そして、作業者は、一対の野地板２２上にルーフィング６を介して複数の屋根材９０を葺く。
【００７３】
（補足）
以上説明した実施形態は、適宜設計変更可能である。例えば、谷樋１は金属以外の材料から形成されてもよい。また、谷樋１は工場等で製作された後、現場に搬送されて凹部２１に設置されてもよい。
【００７４】
また、通気部材７に形成される通気空間７０は、孔に限られず、切欠や凹部であってもよい。
【００７５】
（効果）
前記実施形態の屋根構造は、屋根の谷部に谷樋１が設けられた屋根構造であって、以下に示す特徴を有する。屋根構造は、谷樋１、ドレン（樋側ドレン）８、排水管４、通気部材７及び断熱材（第１断熱材）５１を備える。ドレン８は谷樋１の底板部１０に設けられる。排水管４はドレン８に通じる。通気部材７は谷樋１の底板部１０の下方に配置される。断熱材５１は谷樋１の底板部１０の下方に通気部材７を介して配置される。通気部材７は排水管４に通じる通気空間７０を備える。以下、この屋根構造を第１の態様の屋根構造という。
【００７６】
第１の態様の屋根構造は、排水管４内の空気が通気部材７の通気空間７０に導入される。このため、下水道の熱及び建物で発生した熱が谷樋１の底板部１０に伝わりやすくなり、また、この熱は断熱材５１によって保温される。従って、谷樋１の下部の外面で結露が発生することが抑制され、また、谷樋１内の下部の雪や氷堤が解けやすくなる。
【００７７】
また、前記実施形態の屋根構造は、第１の態様の屋根構造が有する特徴に加えて、以下に示す付加的な特徴を有する。屋根構造は、下地２、下地側ドレン３及びルーフィング６を備える。下地２には上方に開口する凹部２１が形成される。下地側ドレン３は、凹部２１の底部２４に設けられ、ドレン８の下方に位置する。下地側ドレン３には、ドレン８から流出した水が流れ込む。下地側ドレン３に排水管４が連結される。凹部２１の底部２４上に断熱材５１が設けられる。断熱材５１上にルーフィング６を介して通気部材７が設けられる。ルーフィング６が下地側ドレン３まで延びている。通気空間７０が下地側ドレン３を介して排水管４に通じている。以下、この屋根構造を第２の態様の屋根構造という。
【００７８】
第２の態様の屋根構造では、谷樋１内の水がドレン８及び下地側ドレン３を介して排水管４に排出される。また、谷樋１の外面で結露した水や、谷樋１から漏れ出た水は、ルーフィング６で受けられ、この水は下地側ドレン３を介して排水管４から排出される。また、通気部材７の通気空間７０は、下地側ドレン３を介して排水管４に通じる。
【００７９】
また、前記実施形態の屋根構造は、第２の態様の屋根構造が有する特徴に加えて、以下に示す付加的な特徴を有する。ルーフィング６は、断熱材５１の上面に沿う第１部分６１と、第１部分６１の側縁部から、凹部２１の側壁部２５に沿って上方に延びた第２部分６２とを備える。通気部材７における第２部分６２に対向する端面と、第２部分６２との間に隙間９２が形成される。以下、この屋根構造を第３の態様の屋根構造という。
【００８０】
第３の態様の屋根構造は、通気部材７における第２部分６２に対向する端面と、第２部分６２との間に隙間９２が形成される。このため、ルーフィング６が通気部材７によって凹部２１の底部２４と側壁部２５とでなす角部に押し付けられて破れるといった事態が生じ難い。
【符号の説明】
【００８１】
１  谷樋
２  下地
２１  凹部
２４  底部
２５  側壁部
３  下地側ドレン
６  ルーフィング
１０  底板部
４  排水管
５１  第１断熱材（断熱材）
６  ルーフィング
６１  第１部分
６２  第２部分
７  通気部材
７０  通気空間
８  樋側ドレン（ドレン）
９２  隙間
【図１】
2019027165.tif 000003
【図２】
2019027165.tif 000004
【図３】
2019027165.tif 000005
【図４】
2019027165.tif 000006
【図５】
2019027165.tif 000007
【図６】
2019027165.tif 000008